(57)【要約】      （修正有）【課題】十分な通気性を確保しつつ、虫や雨水等が屋内に入り込むことを防止できる取り付け性に優れた通気性戸部材を提供する。【解決手段】家屋の開口の周縁に沿って取り付けられる枠体２にルーバー５Ａおよび網目状のスクリーン３を設置する。スクリーンをルーバーよりも屋内側に配置し、ルーバーを細長形状の並列される複数のルーバー片５により形成して、ルーバーを屋内側から正面で見た際には複数のルーバー片の隣り合うどうしがオーバーラップし、横断する断面で見た際には複数のルーバー片の隣り合うどうしの間に屋外側と屋内側とを連通する通気すき間が形成される構成にする。ルーバー片が筒状体５０と、筒状体から隣り合う両側のルーバー片に向かって延びる羽根部５２とを有しているのが好ましい。【選択図】図４
0003198014.tif 000002
【実用新案登録請求の範囲】
【請求項１】
家屋の開口の周縁に沿って取り付けられる枠体と、この枠体に設置されるルーバーおよび網目状のスクリーンとを備えた通気性戸部材であって、
前記スクリーンが前記ルーバーよりも前記家屋の屋内側に配置され、前記ルーバーが細長形状の並列される複数のルーバー片により形成され、前記ルーバーを屋内側から正面で見た際には前記複数のルーバー片の隣り合うどうしがオーバーラップし、前記ルーバーを前記複数のルーバー片を横断する断面で見た際には前記複数のルーバー片の隣り合うどうしの間に屋外側と屋内側とを連通させる通気すき間が形成される構成にしたことを特徴とする通気性戸部材。
【請求項２】
前記ルーバー片が筒状体と、この筒状体から隣り合う両側のルーバー片に向かって延びる羽根部とを有し、前記ルーバーを屋内側から正面で見た際には隣り合うルーバー片の前記羽根部どうしがオーバーラップし、前記ルーバーを前記複数のルーバー片を横断する断面で見た際には隣り合うルーバー片の前記羽根部どうしの間に前記通気すき間が形成される請求項１に記載の通気性戸部材。
【請求項３】
前記ルーバー片がポリカーボネート樹脂により形成されている請求項１または２に記載の通気性戸部材。
【請求項４】
前記ルーバー片の両表面に、ルーバー片の長手方向に延在するノッチがルーバー片の幅方向に間隔をあけて複数形成され、このノッチを起点にして前記ルーバー片が折り曲げ可能になっている請求項１〜３のいずれかに記載の通気性戸部材。
【考案の詳細な説明】
【技術分野】
【０００１】
本考案は通気性戸部材に関し、さらに詳しくは、十分な通気性を確保しつつ、虫や雨水等が屋内に入り込むことを防止できる取り付け性に優れた通気性戸部材に関するものである。
【背景技術】
【０００２】
夏など蒸し暑い季節には、家屋の窓に設けた戸部材（ガラス戸など）、または家屋の出入口に設けたドアを開いたままにして外気を屋内に通気させて室温を低下させることがある。この状態では、虫や蚊などが屋内に入り込むことがあり、雨が降ると雨水が屋内に入り込むことがある。
【０００３】
蚊や虫が屋内に入り込むことは、網戸を設置することにより回避することができる。また、雨水が屋内に入り込むことは、適時、ガラス戸やドアを閉じればよいが面倒である。このような問題を解決するため、雨水を遮断しつつ通気性を確保する網戸材が提案されている（特許文献１参照）。
【０００４】
特許文献１で提案されている網戸材では、金属板材の表面に多数の細孔を形成するとともに、この表面に撥水性コーティングを施している。しかしながら、撥水性コーティングによって、雨水の入り込みを防止する効果を得るには、細孔を相当に小さくする必要がある。即ち、この網戸材では金属板材の表面に形成する細孔が非常に小さくなるため、通気性を確保することが難しくなる。さらには、多数の細孔を形成しても、細孔が非常に小さければゴミ等が詰まり易くなるため、通気性を確保するには益々不利になるという問題がある。
【先行技術文献】
【特許文献】
【０００５】
【特許文献１】特開平７−２１７３４１号公報
【考案の概要】
【考案が解決しようとする課題】
【０００６】
本考案の目的は、十分な通気性を確保しつつ、虫や雨水等が屋内に入り込むことを防止できる取り付け性に優れた通気性戸部材を提供することにある。
【課題を解決するための手段】
【０００７】
上記目的を達成するため本考案の通気性戸部材は、家屋の開口の周縁に沿って取り付けられる枠体と、この枠体に設置されるルーバーおよび網目状のスクリーンとを備えた通気性戸部材であって、前記スクリーンが前記ルーバーよりも前記家屋の屋内側に配置され、前記ルーバーが細長形状の並列される複数のルーバー片により形成され、前記ルーバーを屋内側から正面で見た際には前記複数のルーバー片の隣り合うどうしがオーバーラップし、前記ルーバーを前記複数のルーバー片を横断する断面で見た際には前記複数のルーバー片の隣り合うどうしの間に屋外側と屋内側とを連通させる通気すき間が形成される構成にしたことを特徴とする。
【考案の効果】
【０００８】
本考案によれば、虫などが屋内に入り込むことはスクリーンによって防止できる。そして、屋内側からの正面視ではルーバー片の隣り合うどうしがオーバーラップし、ルーバー片を横断する断面視ではルーバー片の隣り合うどうしの間に屋外側と屋内側とを連通させる通気すき間が形成されるので、この断面視では通気すき間は屈曲した形状になる。そのため、ルーバーによって雨水が屋内に入り込むことを防止しつつ、通気すき間およびスクリーンを通じて、家屋の開口からの外気を屋内に流入させることができる。しかも、スクリーンは虫などが屋内に入り込むことを防止するだけで、雨水の入り込みを防止する機能は有さないので、スクリーンの網目を過剰に小さくする必要がない。そのため、十分な通気性を確保できる。また、ルーバーとスクリーンとが枠体に一体的に設けられているので、ルーバーとスクリーンとを開口に対して別々に取り付ける必要がなく、取り付け作業が容易になる。
【図面の簡単な説明】
【０００９】
【図１】本考案の通気性戸部材を屋外側からの正面視で例示する説明図である。
【図２】図１のＡ矢視図である。
【図３】図１の通気性戸部材を家屋の開口に取り付けた状態を横断面視で例示する説明図である。
【図４】図１の通気性戸部材の一部を拡大して例示する斜視図である。
【図５】図２のＶ−Ｖ断面でルーバーを例示する説明図である。
【図６】ルーバー片を例示する斜視図である。
【図７】図６のＡ部の拡大図である。
【図８】本考案の通気性戸部材を家屋の別の開口に取り付けた状態を横断面視で例示する説明図である。
【考案を実施するための形態】
【００１０】
以下、本考案の通気性戸部材を図に示した実施形態に基づいて説明する。
【００１１】
図１〜図４に例示する本考案の通気性戸部材１は、家屋の壁面２０を貫通する開口２１（例えば窓や出入り口）に設置される。窓や出入り口などの開口２１にはガラス戸や扉などの開閉体２２が設けられている。通気性戸部材１は開閉体２２よりも屋内側に設置される。
【００１２】
この通気性戸部材１は、家屋の開口２１の周縁に沿って取り付けられる枠体２と、枠体２に設置されるルーバー５Ａおよび網目状のスクリーン３とを備えている。枠体２は軽量化のためにアルミニウム等で形成するとよい。
【００１３】
開口２０の内部には、通気性戸部材１と開閉体２２との間に、中間部材２３が配置されている。中間部材２３にはベース枠６が固定され、このベース枠６に枠体２がヒンジ７を軸にして図４の矢印Ｒの方向に回動可能に取り付けられている。
【００１４】
スクリーン３はルーバー５Ａよりも屋内側に配置される。スクリーン３は四角形状の枠体２の内側を覆うように張設される。具体的には、枠体２を構成する枠部材２ａと２ｂとにスクリーン３は挟持されている。枠体２の周縁部に形成されている溝２ｃ内には、植毛したブラシ状のパッキング４が嵌合固定されている。スクリーン３としては、一般な網戸ネット等を用いることができる。スクリーン３の網目は特別に小さくする必要がなく、蚊等が通過できない程度の大きさの網目にする。
【００１５】
ルーバー５Ａは、細長形状の複数のルーバー片５により形成されている。これらルーバー片５は並列されて枠体２に設置される。この実施形態では、複数のルーバー片５が上下に並んで配列されて、その長手方向を横方向にして延設されている。それぞれのルーバー片５の長手方向両端部が抑え部材８によって枠体２に固定されている。
【００１６】
ルーバー５Ａは、図１に例示するように屋外側からの正面視、或いは、屋内側からの正面視（図５のＢ矢視）では、複数のルーバー片５の上下に隣り合うどうしがオーバーラップしている。このオーバーラップ量は例えば、数ｃｍである。図５に例示するように、並列された複数のルーバー片５を横断する断面視では、ルーバー５Ａには、複数のルーバー片５の上下に隣り合うどうしの間に屋外側と屋内側とを連通させる通気すき間ｇが形成されている。即ち、本考案の通気性戸部材１では、複数のルーバー片５を横断する断面視では、通気すき間ｇは屈曲した状態になっている。
【００１７】
この実施形態のルーバー片５は、断面四角形状の筒状体５０と、この筒状体５０から上側に隣り合うルーバ片５に延びる上羽根部５１と、下側に隣り合うルーバー片５に向かって延びる下羽根部５２とを有している。詳述すると、図６に例示するように、ルーバー片５は、筒状体５０を中心としてその下面５０ｓから上面５０ｕ側に向かって斜めに延びる上羽根部５１と、上面５０ｕから下面５０ｓ側に向かって延びる下羽根部５２とで構成されている。筒状体５０の断面形状は四角形状に限らず、円形、楕円形、多角形等、種々の形状を採用することができる。
【００１８】
この実施形態では、ルーバー５Ａを屋内側から正面で見た際には（図５のＢ矢視では）、上下に隣り合うルーバー片５の下羽根部５２と上羽根部５１とが上下にオーバーラップしている。一方、図５に例示するように、ルーバー５Ａを複数のルーバー片５を横断する断面で見た際には上下に隣り合うルーバー片５の下羽根部５２と上羽根部５１との間に通気すき間ｇが形成される。
【００１９】
外気ａを屋内に取り入れたい場合は、図３に例示するように、枠体２に設置された取手２５を室内側に引張って、通気性戸部材１を開く。次いで、ガラス戸やドアなどの開閉体２２を開いた状態にした後で、通気性戸部材１を閉じた状態にする。これにより、通気すき間ｇおよびスクリーン３を通じて、開口２１からの外気ａを屋内に流入させることができる。この際に、虫などが屋内に入り込むことはスクリーン３によって防止できる。
【００２０】
ここで、上述したようにルーバー片５を横断する断面視では、通気すき間ｇは屈曲しているので、雨水は通気すき間ｇを通過することができず、外気ａだけが屋内に流入する。即ち、ルーバー５Ａ（ルーバー片５）によって外気ａと雨水とを分離させて、雨水が屋内に入り込むことを防止しつつ、外気ａだけを屋内に流入させることができる。
【００２１】
詳述すると、ルーバー片５によって外気ａおよび雨水を強制的に方向転換させながら、ルーバー片５の長手方向に円滑に分散させる。このような作用で雨水を強制的に上羽根部５１および下羽根部５２の表面に付着させて、外気ａから分離させ、脱水させる。
【００２２】
本考案では、スクリーン３は虫などが屋内に入り込むことを防止するために機能し、雨水の入り込みを防止する機能は有していない。したがって、スクリーン３の網目を過剰に小さくする必要がない。そのため、スクリーン３によって通気性が損なわれることがなく、十分な通気性を確保できる。また、スクリーン３の網目を特別に小さくしていないので、その網目にゴミ等が詰まって通気性が低下するリスクも低減する。
【００２３】
さらには、ルーバー５Ａとスクリーン３とが枠体２に一体的に設けられてユニット化されている。それ故、施工現場において、ルーバー５Ａとスクリーン３とを別々に取り付ける必要がないので、通気性戸部材１を開口２１に取り付ける作業は短時間で容易に行うことが可能である。
【００２４】
ルーバー片５は、種々の樹脂により形成することができるが、例えば、軽量で耐衝撃性に優れたポリカーボネート樹脂により形成するとよい。また、屋外からの光を取り入れるために、ルーバー片５は透明または半透明にして、ある程度の透明度を有しているとよい。
【００２５】
図６、図７に例示するように、この実施形態ではルーバー片５の両表面には、ルーバー片５の長手方向に直線的に延在するノッチ５３がルーバー片５の幅方向に間隔をあけて複数形成されている。ルーバー片５はノッチ５３を起点にして折り曲げ可能になっている。このようなノッチ５３をルーバー片５に形成しておくと、ルーバー片５を所望の形状に変形させ易くなる。例えば、上羽根部５１や下羽根部５２を傾斜させて正確に曲げる加工を容易に行うことが可能になる。
【００２６】
ノッチ５３について詳述すると、上羽根部５１と下羽根部５２の両表面には角度ｖが９０度のＶ溝状のノッチ５３が、ルーバー片５の幅方向に所定間隔ｘ，ｘ・・でルーバー片５の長手方向全長に渡って、平行に形成されている。具体的な数値の一例を示すと、上羽根部５１と下羽根部５２の厚さは１．２ｍｍ、ノッチ５３の深さは０．２ｍｍ、間隔ｘ，ｘは２．５ｍｍである。
【００２７】
図８は開口２１がかなり大きく、人間が通過できる程度の場合を例示している。この場合は、通気性戸部材１と開閉体２２との間に、開口２１を通じて屋外から屋内に人間の侵入を阻止する阻止棒２６を、例えば上下方向に間隔をあけて複数本設置する。その他の構成は、先の実施形態と同じである。
【００２８】
本考案は、上述した構造に限らず、種々の変形を行うことができる。例えば、ルーバー片５の筒状体５０と、上羽根部５１および下羽根部５２とを別々に成形して、後工程で接合することもできる。或いは、長手方向に直線状のルーバー片５に限らず。波状に屈曲させることもできる。ルーバ片５の長手方向を上下方向に向けて枠体２に取り付けることも可能である。
【符号の説明】
【００２９】
１  通気性戸部材
２  枠体
２ａ、２ｂ  枠部材
２ｃ  溝部
３  スクリーン
４  パッキング（ブラシ状）
５  ルーバー片
５Ａ  ルーバー
６  枠体
２０  壁
２１  開口
２２  開閉体
２６  侵入阻止棒
５０  筒状体
５１  上羽根部
５２  下羽根部
５３  ノッチ
【図１】
0003198014.tif 000003
【図２】
0003198014.tif 000004
【図３】
0003198014.tif 000005
【図４】
0003198014.tif 000006
【図５】
0003198014.tif 000007
【図６】
0003198014.tif 000008
【図７】
0003198014.tif 000009
【図８】
0003198014.tif 000010